(57)【要約】【課題】  構築物の固有情報を現場にて迅速に取得、閲覧可能とするという目的を、構築物の強度低下を伴うことなく実現可能とする。【解決手段】  各種情報の書き込みおよび読み出しの可能な非接触型の記録媒体１２と、この記録媒体を収容する収容凹部１８を有した銘板本体１２と、止水用パッキンを介して銘板本体の収容凹部を封止する、着脱可能な非金属製カバー１６とを具備したものとして、各種構築物に配置される構築物用銘板１０を形成している。なお、記録媒体１２としては、非接触型ＩＣチップ、もしくはこの非接触型ＩＣチップの搭載された単体の所定外観物品が例示できる。【選択図】          図１
2005300949.tif 000002
【特許請求の範囲】
【請求項１】
各種構築物に配置される銘板であり、
各種情報の書き込みおよび読み出しの可能な非接触型の記録媒体と；
この記録媒体を収容する収容凹部を有した銘板本体と；
止水用パッキンを介して銘板本体の収容凹部を封止する、着脱可能な非金属製カバーと；
を具備したことを特徴とする構築物用銘板。
【請求項２】
前記銘板本体が非金属製である請求項１記載の構築物用銘板。
【請求項３】
前記銘板本体の収容凹部が、表示面に対する裏面の開口されたものとして形成された請求項２記載の構築物用銘板。
【請求項４】
前記銘板本体の表示面に、収容凹部の位置を示すマーキングが施された請求項３記載の構築物用銘板。
【請求項５】
前記銘板本体が金属製であり、前記収容凹部が、表示面の開口されたものとして形成されるとともに、この収容凹部内の周壁が、隔離用の非金属壁によって覆われた請求項１記載の構築物用銘板。
【請求項６】
前記記録媒体が、非接触型ＩＣチップ、もしくはこの非接触型ＩＣチップの搭載された単体の所定外観物品である請求項１ないし５のいずれか記載の構築物用銘板。
【請求項７】
前記記録媒体に対する固有情報の書き込み、読み出しが、ハード面、ソフト面の少なくともいずれかにより専用化された請求項１ないし６のいずれか記載の構築物用銘板。
【発明の詳細な説明】
【技術分野】
【０００１】
本発明は、構築物の名称、施工年月日、諸元および施工関係者等を表示する構築物用銘板に関する。
【背景技術】
【０００２】
近年、各種構造物、建築物等（以下、構築物と称する）に対する維持管理および補修・補強の重要性が提唱されており、構築物に対する点検・調査をできる限り効率的に行うことが検討されている。そして、この、維持管理および補修・補強等の効率化をはかるという観点から、その構築物の名称、施工年月日、諸元および施工関係者等を表示する、いわゆる銘板の設置が推奨されている。
【０００３】
ところで、実務として構築物の維持管理等を行う場合においては、通常、その構築物に対する点検・検査で採取したデータを、その構築時の条件および種々の規格・基準等や、当該構築物に対する過去の点検・検査時のデータ等の、いわゆる固有情報と照合した上で、その構築物における異状の有無を知るという手順となる。しかし、このような固有情報は比較的膨大であり、限られた大きさの銘板にその全てを記載、表示することはきわめて困難といわざるを得ない。
【０００４】
そこで、通常は、この種の固有情報を紙媒体、あるいは磁気式記録媒体、光学式記録媒体等の各種記録媒体に記録し、管理者あるいは施工業者等により一括的に保管、管理することが一般的に行われている。
【０００５】
ところで、構築物の維持管理、特に緊急を要する点検・検査およびこれに伴う補修・補強等においては、その現場における迅速な対応、つまり現場での固有情報の早急な閲覧、比較等が要求される。しかし、紙媒体や各種記録媒体に固有情報を記録して一括管理する従来の手法においては、現場にその固有情報はなく、保管場所からの対応情報の取り寄せ等が必要となるため、緊急時等における迅速な対応が十分にはかれないのが現状である。
【０００６】
また、構築物固有情報の即刻の取得、閲覧は、その構築物の維持管理においてだけでなく、たとえば、その構築物の災害時等においても重要となる。
【０００７】
つまり、構築物、たとえばビルや地下街、あるいは地下鉄の駅等で火災が発生した場合、その構築物の構造、各施設配置および非難通路等がどのようにあるかを早急に知ることが、現場に駆けつけた消防隊員、救急隊員等には重要なことであり、その必要性に疑いの余地はない。
【０００８】
このように、構築物の固有情報をその現場において早急に知ることは、維持管理および補修・補強に対してのみならず、災害時等においても重要なことである。しかし、その固有情報が現場以外の特定箇所に保管・管理されている現状を考えると、その改善が望ましいといわざるを得ない。
【０００９】
ここで、たとえば特開２０００−２９１２００号公報に、建設資材や構築物等にＲＦＩＤデータキャリアを埋設し、このＲＦＩＤデータキャリアと所定のＲＦＩＤ装置間でのデータの無線送受信によって、データの書き込み、読み出しを可能とした構成の開示がある。
【００１０】
このＲＦＩＤデータキャリアは、データを記録する記録媒体としての機能を有しており、このＲＦＩＤデータキャリアにその固有情報を記録して構築物に埋設すれば、固有情報をその構築物に残す、つまり現場に残しておくことが可能となることから、これを構築物毎の固有情報の保管手段として利用することも十分に考えられる。しかしながら、構築物の名称、施工年月日、諸元および施工関係者等以外に、構築時の条件および種々の規格・基準等や、当該構築物に対する過去の点検・検査時のデータ等、さらにはその構築物の図面、写真等の施工図書等をその固有情報と考えた場合、その情報量は膨大であり、これをＲＦＩＤデータキャリアに記録するには容量的に困難であるといわざるを得ず、コストの点においても好ましいとはいえない。
【００１１】
また、ＲＦＩＤデータキャリアからデータを読み出すＲＦＩＤ装置は比較的大型となりやすく、一般的には、据え置きのホストコンピュータによるデータの閲覧、管理等が主となることから、特定箇所での一括管理と何等変わらず、場合によっては、迅速な対応が損ねられることも考えられる。
【００１２】
さらに、公知のような建設資材や構築物等への記録媒体の直接的な埋設は、この建設資材や構築物等の強度に悪影響を及ぼす虞があるため、記録媒体の埋設箇所として好ましいとはいい難い。
【特許文献１】特開２０００−２９１２００号公報
【発明の開示】
【発明が解決しようとする課題】
【００１３】
解決しようとする問題点は、紙媒体や各種記録媒体等での一括管理のもとでは、膨大な固有情報を現場にて迅速に取得、閲覧することが容易でないという点、および建設資材等への直接的な埋設では、構築物の強度に悪影響を及ぼす虞があるという点である。
【課題を解決するための手段】
【００１４】
請求項１に係る本発明の構築物用銘板は、各種情報の書き込みおよび読み出しの可能な非接触型の記録媒体と、この記録媒体を収容する収容凹部を有した銘板本体と、止水用パッキンを介して銘板本体の収容凹部を封止する、着脱可能な非金属製カバーとを具備したことを、その最も主要な特徴としている。
【００１５】
また、本発明の請求項２は、銘板本体を非金属製としたことを、その最も主要な特徴としている。
【００１６】
さらに、本発明の請求項３は、銘板本体の収容凹部を、表示面に対する裏面の開口されたものとして形成したことを、その最も主要な特徴としている。
【００１７】
また、本発明の請求項４は、銘板本体の表示面に、収容凹部の位置を示すマーキングを施したことを、その最も主要な特徴としている。
【００１８】
そして、本発明の請求項５は、銘板本体を金属製とし、その収容凹部を、表示面の開口したものとして形成するとともに、この収容凹部内の周壁を、隔離用の非金属壁によって覆ったことを、その最も主要な特徴としている。
【００１９】
また、本発明の請求項６は、記録媒体を非接触型ＩＣチップ、もしくはこの非接触型ＩＣチップの搭載された単体の所定外観物品として具体化したことを、その最も主要な特徴としている。
【００２０】
さらに、本発明の請求項７は、記録媒体に対する固有情報の書き込み、読み出しを、ハード面、ソフト面の少なくともいずれかにより専用化したことを、その最も主要な特徴としている。
【発明の効果】
【００２１】
請求項１に係る本発明によれば、銘板本体内に収容された記録媒体に固有情報を記録することで、その現場にて、その構築物の固有情報を取得、閲覧することができるため、維持管理、および災害時等における迅速な対応が容易に可能になるという利点がある。
【００２２】
また、構築物の比較的目立つ場所に設置される銘板に、各種固有情報の記録された記録媒体が内設されることになるため、記録媒体の位置の特定化が容易となり、よって本発明によれば、この点においても固有情報の取得、閲覧の迅速性が確実にはかられるという利点がある。
【００２３】
さらに、構築物自体の強度に何等影響を与えない銘板への記録媒体の内設であるため、記録媒体の内設に伴う構築物の強度低下が防止できるという利点もある。
【００２４】
また、請求項２に係る本発明によれば、銘板本体を非金属製としていることから、記録媒体に対する固有情報の書き込み、読み出しの際における金属の影響は一切ないものとして取り扱えるという利点がある。
【００２５】
さらに、請求項３に係る本発明によれば、銘板本体の収容凹部を、表示面に対する裏面の開口されたものとして形成していることから、銘板としての機能性に悪影響を全く与えることのない記録媒体の内設が容易に可能になるという利点がある。
【００２６】
また、請求項４に係る本発明によれば、銘板本体の表示面に、収容凹部の位置を示すマーキングを施していることから、銘板内での収容凹部の位置が明確に特定化できる。よって、この収容凹部に収容、内設された記録媒体に対する固有情報の書き込みおよび読み出しの際の作業性が確実に向上されるという利点がある。
【００２７】
そして、請求項５に係る本発明によれば、銘板本体の収容凹部を、表示面の開口したものとして形成し、かつこの収容凹部内の周壁を、隔離用の非金属壁によって覆ったものとして具体化していることから、従来通りの鋳鉄を、銘板本体の材質として採用することも容易に可能になるという利点がある。
【００２８】
また、請求項６に係る本発明によれば、記録媒体を、非接触での固有情報の書き込み、読み出しが適切にした非接触型ＩＣチップ、もしくはこの非接触型ＩＣチップの搭載された単体の所定外観物品として具体化していることから、その全体的な構成の簡素化が十分にはかられるという利点がある。
【００２９】
さらに、請求項７に係る本発明によれば、記録媒体に対する固有情報の書き込み、読み出しを、ハード面、ソフト面の少なくともいずれかにより専用化していることから、悪意による固有情報の改ざんや固有情報の漏出等の防止といった、そのセキュリティ面の低下の防止が十分にはかられるという利点がある。
【発明を実施するための最良の形態】
【００３０】
構築物の固有情報を現場にて迅速に取得、閲覧可能とするという目的を、構築物の強度低下を伴うことなく実現可能とした。
【実施例】
【００３１】
図１、図２は、この発明に係る構築物用銘板１０の概略正面図および分解斜視図であり、図示のように、この構築物用銘板は、記録媒体１２と、銘板本体１４と、非金属製カバー１６とを備えている。
【００３２】
記録媒体１２としては、たとえば、所定の記憶容量を持つ不揮発性メモリと、所定の外部機器、つまりライタやリーダを介してノートパソコン等の携帯端末との間で非接触にデータ伝送する通信部とを備えた、いわゆる非接触型ＩＣチップ、さらに詳しくいえば、この非接触型ＩＣチップの搭載された所定外観物品、いわゆるＩＣメモリカード等が利用できる。
【００３３】
なお、ここでいうＩＣチップ自体は公知のものであり、かつこのＩＣチップ自体はこの発明の趣旨でなく、さらに、ここで例示したＩＣチップおよびＩＣメモリカードとしては一般的な市販品が利用できるため、これらに対する詳細な説明はここでは省略するものとする。
【００３４】
このＩＣメモリカード（記録媒体）１２は、銘板本体１４に設けられた対応形状の収容凹部１８内に収容される。
【００３５】
この銘板本体１４としては、非金属製のもの、たとえば合成樹脂製、陶製あるいは木製等のものが利用でき、この種の非金属製の銘板本体においては、表示面１４ａに対する裏面１４ｂに開口を有する形態として、その収容凹部１８は形成される。
【００３６】
なお、この銘板本体の表示面１４ａには、通常と同様に、その構築物の名称、施工年月日、諸元および施工関係者等が表示される（図１参照）。
【００３７】
前出のＩＣメモリカード１２は、この銘板本体の収容凹部１８に収容、内設される。そして、ＩＣメモリカード１２の収容後、この収容凹部１８は、銘板本体と同種あるいは異種の非金属製カバー１６によって封止される。
【００３８】
図２および図３を見るとわかるように、この非金属製カバー１６は、止水用パッキン２０を介して収容凹部１８の周縁段部１８ａに重ねられ、たとえば、特殊工具による螺進、螺退の可能な特殊ねじ等によって銘板本体１４に対して固定される。
【００３９】
なお、構築物に対する銘板１０の固定手法としては、従来の手法がそのまま利用できるため、この構築物に対する銘板の固定に関しては、ここではその説明を省略する。
【００４０】
銘板本体の収容凹部１８内に収容、内設されたＩＣメモリカード１２に対しては、ノートパソコン等の携帯端末に接続された所定のライタおよびリーダにより、その構築物毎の固有情報の書き込み、読み出しが行われる。
【００４１】
なお、このＩＣメモリカード１２は上述のように非接触型であるため、銘板本体の収容凹部１８内に収容したままでの固有情報の書き込み、読み出しが可能となっている。また、ＩＣメモリカード１２に対する固有情報の書き込み、読み出しを行うライタおよびリーダとしては、ＩＣメモリカードの種類等に対応するものが利用される。
【００４２】
このＩＣメモリカード１２に記録される固有情報としては、銘板の表示面１４ａに記載された事項以外のもの、たとえば、設計時、構築時の条件および種々の規格・基準等や、当該構築物に対する過去の点検・検査時のデータ等、さらにはその構築物の図面、写真等の施工図書等が例示できる。
【００４３】
なお、この実施例においては、銘板本体１４の材質を非金属製材料として具体化しており、また、収容凹部１８も非金属製カバー１６により覆われているため、ＩＣメモリカード１２に対する固有情報の書き込み、読み出しの際における金属の影響は一切ないものとして取り扱える。
【００４４】
上記のように、この発明の構築物用銘板１０によれば、その構築物の固有情報が、ＩＣメモリカード１２に記録されてその現場に保管、保存されることになる。そして、その固有情報を必要とする管理者や施工者、検査作業者、あるいは消防隊員、救急隊員等は、その銘板１０内に内設されたＩＣメモリカード１２から、リーダを介して携帯端末にその必要とする固有情報を読み出して表示させれば足りるため、各種作業に対する、その現場での即刻の対応が容易に可能となる。
【００４５】
また、調査や検査等により得た新たなデータ等は、追加の固有情報として、専用のライタを介してその場で書き込めば足りるため、この点においても、その作業に対する即刻の対応が容易にはかられる。
【００４６】
そして、銘板１０に内設されたＩＣメモリカード１２は非接触型であることから、銘板、つまりは銘板本体１４からのその取り外しは不要であり、よって、その作業が煩雑化することもないことから、この点においても、その迅速性が確実に向上される。
【００４７】
さらに、比較的目立つ位置に設置される銘板１０であれば、構築物におけるその位置の特定化も容易であることから、この点からも維持管理や災害時等での迅速な対応が十分にはかられる。
【００４８】
そして、構築物の強度に直接的な影響を及ぼさない銘板１０に対するＩＣメモリカード１２の収容、内設であるため、ＩＣメモリカードの内設に伴う構築物の強度低下は確実に防止される。
【００４９】
なお、この発明における非金属性カバー１６は、銘板本体１４に対して着脱可能に取り付けられるものであるから、銘板１０を構築物に対して着脱可能に取り付けることによって、銘板本体に対するＩＣメモリカード１２の着脱も容易に可能となる。つまり、ＩＣメモリカード１２を交換することは可能であり、また、銘板本体１４を交換する場合においても、ＩＣメモリカードをそのまま新しい銘板本体に付け替えることで、その固有情報の転換等は不要となる。
【００５０】
ここで、ＩＣメモリカード１２に対する固有情報の書き込み、読み出しを、ハード面、ソフト面の少なくともいずれかにより専用化することが好ましい。これは、悪意による固有情報の改ざんや固有情報の漏出等を防止することを目的としたものであり、これらを専用化とすることによって、そのセキュリティ面の低下を十分に防止することが可能となる。
【００５１】
なお、ＩＣメモリカード１２に対する固有情報の書き込み、読み出しの専用化として、たとえば、ライタ、リーダ等のハード面での専用化や、たとえば暗証番号等によるソフト面での専用化等が挙げられる。
【００５２】
また、上述した実施例のように、銘板本体の裏面１４ｂに開口した収容凹部１８にＩＣメモリカード１２を収容、内設する構成によれば、銘板１０としての機能性に悪影響を全く与えることのないＩＣメモリカードの内設が容易に可能となる。
【００５３】
ここで、このような、銘板本体の裏面１４ｂに開口した収容凹部１８にＩＣメモリカード１２を収容、内設する構成においては、銘板本体の表示面１４ａに、収容凹部の位置を示すマーキング２４を施すことが好ましい。
【００５４】
このマーキング２４としては、図１に示すような凹凸によるもの等が例示できるが、その位置が明確に把握できれば足りるため、このマーキングの手法はこれに限定されるものではない。
【００５５】
このようなマーキング２４を施すことで、銘板１０内での収容凹部１８の位置、つまりＩＣメモリカード１２の位置が明確に特定化できるため、このＩＣメモリカードに対する固有情報の書き込みおよび読み出しの際の作業性が確実に向上される。
【００５６】
また、上述した実施例においては、銘板本体の収容凹部１８内に収容される記録媒体として、ＩＣメモリカード１２を例示しているが、たとえば、設計時、構築時の条件および種々の規格・基準等や、当該構築物に対する過去の点検・検査時のデータ等、さらにはその構築物の図面、写真等の施工図書等を固有情報として記録できる記録媒体であれば足りるため、これに限定されるものではない。
【００５７】
しかしながら、この実施例で示すようなＩＣメモリカード１２であれば、非接触での固有情報の書き込み、読み出しが適切に行えることから、このＩＣメモリカードは、銘板１０に内設される記録媒体としての適応性に優れているということができる。そして、このようなＩＣメモリカード１２であれば、それ単体の収容、内設で足りるため、全体的な構成の簡素化が十分にはかられる。
【００５８】
なお、ここでは非接触型ＩＣチップの一つの形態として、カード状の外観形状を持つＩＣメモリカードを例示しているにすぎず、ＩＣチップの搭載形態をこれに限定するものではない。つまり、ＩＣチップを銘板の収容凹部１８に直接的に内設させる構成であってもよく、また、カード状の外観に限定されず、ブロック状の外観を持つ外装体内にＩＣチップを搭載するものとして、その外観物品を形成してもよい。
【００５９】
ここで、上述した実施例においては、銘板本体１４として非金属製のものを例示している。しかし、これに限定されず、たとえば、従来と同様の鋳鉄による鋳造品として、この銘板本体１４を形成してもよい。
【００６０】
図４に示すように、この場合においては、収容凹部１８が、銘板本体の表示面１４ａに開口を有する形態として銘板本体１４に形成され、この収容凹部の内周壁が、隔離用の非金属壁２２によって覆われたものとなっている。
【００６１】
なお、この非金属壁２２は、ＩＣメモリカード１２を直接的に収容可能とするボックス状に概略形成される。
【００６２】
このような構成によれば、ＩＣメモリカード１２が、非金属壁２２および非金属製カバー１６によって、鋳鉄からなる銘板本体１４から隔離されることになるため、固有情報の書き込みおよび読み出しの際における金属の影響は確実に防止される。
【００６３】
なお、この構成においては、非金属製カバー１６が銘板本体の表示面１４ａに位置し、これが収容凹部１８、つまりはＩＣメモリカード１２の位置を示すマーキングとして機能するため、マーキングを省略することも可能である。
【００６４】
上述した実施の形態は、この発明を説明するためのものであり、この発明を何等限定するものでなく、この発明の技術範囲内で変形、改造等の施されたものも全てこの発明に包含されることはいうまでもない。
【図面の簡単な説明】
【００６５】
【図１】この発明の構築物用銘板の概略正面図である。
【図２】構築物用銘板の、裏面から見た概略分解斜視図である。
【図３】図１の線Ａ−Ａに沿った断面図である。
【図４】この発明の構築物用銘板の変形例を示す、図３に類似の断面図である。
【符号の説明】
【００６６】
１０  構築物用銘板
１２  記録媒体
１４  銘板本体
１６  非金属製カバー
１８  収容凹部
【図１】
2005300949.tif 000003
【図２】
2005300949.tif 000004
【図３】
2005300949.tif 000005
【図４】
2005300949.tif 000006